(57)【要約】【課題】感震機能を有し地震や停電などの非常時に自動的に点灯して両手の自由度を確保できる非常用懐中電灯を提供する。【解決手段】外部電源に接続する外部電源接続部と、地震を感知して信号を発生する感震部と、外部を照明する光源と、前記外部電源から供給を受けて充電される２次電池と、を備え、外筐に、紐を取り付け可能な紐係止部を有する。【選択図】図１
2018125186.tif 000002
【特許請求の範囲】
【請求項１】
非常用懐中電灯であって、
外部電源に接続する外部電源接続部と、
非常事態を感知して信号を発生する非常事態感知部と、
外部を照明する光源と、
前記外部電源から供給を受けて充電される２次電池と、を備え、
外筐に、紐を取り付け可能な紐係止部を有することを特徴とする非常用懐中電灯。
【請求項２】
前記紐係止部が、前記外筐の上部の中央部へ設けられていることを特徴とする請求項１に記載の非常用懐中電灯。
【請求項３】
前記紐係止部が、前記外筐の上部の中央部から同一距離離れた２箇所へ設けられていることを特徴とする請求項１に記載の非常用懐中電灯。
【請求項４】
前記非常用懐中電灯の内蔵物が、左右均等に重量配分されていることを特徴とする請求項1乃至３何れか1項に記載の非常用懐中電灯。
【請求項５】
前記非常事態感知部が、外部振動を感知する感震部を有することを特徴とする請求項１乃至４何れか１項に記載の非常用懐中電灯。
【請求項６】
前記非常事態感知部が、外部電源の異常感知する外部電源監視部を有することを特徴とする請求項１乃至５何れか１項に記載の非常用懐中電灯。
【請求項７】
前記非常事態感知部からの信号により鳴動するブザーを備えることを特徴とする請求項１乃至６何れか１項に記載の非常用懐中電灯。
【発明の詳細な説明】
【技術分野】
【０００１】
本発明は、地震時などの非常時に照明を確保する非常用懐中電灯に関する。
【背景技術】
【０００２】
従来の常備灯としては置き台から懐中電灯を取り外すことで点灯する常備灯（図省略）や、停電時に点灯する常備灯（図省略）が広く知られている。また、最近は地震の被害が多いこともあって、枕元に懐中電灯などを非常用に常備する家庭が増えている。
【先行技術文献】
【特許文献】
【０００３】
【特許文献１】特開２０１３−２６２０３号公報
【発明の概要】
【発明が解決しようとする課題】
【０００４】
しかしながら、置き台から懐中電灯を取り外すことで点灯する常備灯においては、夜間に地震が発生した際、暗がりの中で手探りにより常備灯を探し置き台から懐中電灯を取り外して点灯させなければならないという問題点がある。そして停電時に点灯する常備灯においては、大きな地震であっても停電が発生しなければ点灯しないという問題点がある。また、停電を伴うほど強い地震であると暗闇の中で懐中電灯を探すことになり直ぐに懐中電灯を取り出せないことがある。
【０００５】
また、懐中電灯を手にしたとしても、特許文献１に記載された従来の非常用ＬＥＤ照明装置では筐体が筒型なの手で握る形状のため暗闇の中で両手を使っての作業ができないという問題があった。本発明は上記問題点に鑑みなされたもので、感震機能を有し地震や停電などの非常時に自動的に点灯して両手の自由度を確保できる非常用懐中電灯を提供することを目的とする。
【課題を解決するための手段】
【０００６】
本発明の非常用懐中電灯は、外部電源に接続する外部電源接続部と、地震を感知して信号を発生する感震部と、外部を照明する光源と、前記外部電源から供給を受けて充電される２次電池と、を備え、外筐に、紐を取り付け可能な紐係止部を有することを特徴とする。
【０００７】
通常時は外部電源に接続されて内蔵する２次電池に充電が行われる。非常事態感知部からの信号により２次電池から給電されて光源が点灯する。
【０００８】
本発明の非常用懐中電灯は、前記紐係止部が、前記外筐の上部の中央部へ設けられていることを特徴とする。
【０００９】
紐係止部が、前記外筐の上部の中央部へ設けられているので、１本の紐でバランスよく首などへ掛けて使用することができる。
【００１０】
本発明の非常用懐中電灯は、前記紐係止部が、前記外筐の上部の中央部から同一距離離れた２箇所へ設けられていることを特徴とする。
【００１１】
紐係止部が、前記外筐の上部の中央部から同一距離離れた２箇所へ設けられているので、２本の紐でバランスよく首などから下げて使用することができる。
【００１２】
本発明の非常用懐中電灯は、非常用懐中電灯の内蔵物が、左右均等に重量配分されていることを特徴とする。
【００１３】
非常用懐中電灯の内蔵物が、左右均等に重量配分されているので紐でつりさげたときに左右の傾きが小さくなる。
【００１４】
本発明の非常用懐中電灯は、非常事態感知部が、外部振動を感知する感震部を有することを特徴とする。
【００１５】
非常事態感知部が、外部振動を感知する感震部を有するので地震などを感知して照明用ＬＥＤが点灯する。
【００１６】
本発明の非常用懐中電灯は、前記非常事態感知部が、外部電源の異常を感知する外部電源監視部を有することを特徴とする。
【００１７】
前記非常事態感知部が、外部電源の異常感知する外部電源監視部を有するので外部電源が家庭用の交流電源であれば感震ブレーカの作動などによる停電時にそれを検知して信号を発生し、外部への照明を行うことができる。
【００１８】
本発明の非常用懐中電灯は、前記非常事態感知部からの信号により鳴動するブザーを備えることを特徴とする。
【００１９】
非常事態感知部からの信号により鳴動するブザーを備えるので、感震部や外部電源監視部からの信号に基づいて音による異常を知らせることができる。
【図面の簡単な説明】
【００２０】
【図１】本発明の実施例の１箇所で紐に取り付けられる外筐の（Ａ）正面図と（Ｂ）側面図である。
【図２】本発明の実施例の２箇所で紐に取り付けられる外筐の（Ａ）正面図である。
【図３】内部回路の構成図である。
【図４】内部処理のフロー図である。
【発明を実施するための形態】
【００２１】
以下、本発明の実施形態を図面に基づいて説明する。本実施形態において、非常用懐中電灯の左右方向を幅方向とする。図１に示す本実施形態の非常用懐中電灯は、外筐２の上部の幅方向の中央部に小さな梁を紐係部５として設けている。この梁は外筐の横方向の中央に有るので重量バランスが取れることで図に示すようにきれいにつり下げられる。
【００２２】
図中の点線で描かれている内蔵電池６は、内蔵物で一番重量が大きいので左右の重量バランスを考慮して左右に広がる幅方向のほぼ中央に置かれる。
【００２３】
図１に示す非常用懐中電灯は、ＬＥＤランプを照明用の光源として用いており外筐２のほぼ中央部の開口１から光を照射する。光源のＬＥＤからの光は直接取り出しても良いが、適宜なレンズを用いて拡散などをしても良い。
【００２４】
外筐２には、外部電源へ接続する外部電源接続部であるプラグ３の取り出し口がある。このプラグ３は図１（Ａ）に示すように内部で回転して外筐２の下へ突き出すので、普段は突き出した電極を電源コンセントへ挿し込んで使用する。なお、外部電源への接続は電線の引出しや誘導コイルによる無線給電などを用いても良い。
【００２５】
図１（Ａ）示す外筐２の左側には外部から非常用懐中電灯を操作するタクタイルスイッチ４が設けられている。このスイッチを押すたびに非常用懐中電灯の動作が変わるように内部のソフトウエアが制御している。
【００２６】
紐２０は、外筐２の上部の左右の中央部の後方にある紐係部５に接続されていて、非常用懐中電灯の重心は厚み方向のほぼ中央にあるので、紐２０につるされた非常用懐中電灯は図１（Ｂ）に示すように若干下へ傾く。これは、紐で非常用懐中電灯くびから下げるときに脚元を照明する際に好適である。
【００２７】
図２では、外筐１の上端の端に２つの第1紐係止部７，第２紐係止部８を設けて紐でつりさげた場合の紐２０と外筐２の様子を示す。外筐２の両端部の第1紐係止部７，第２紐係止部８は、外筐の上部の中央部から等距離にあり、外筐２の両端部の第1紐係止部７，第２紐係止部８で紐に接続されると外筐の傾きは二つに分岐した紐の長さの差で決まるので外筐２の左右の傾きが制御し易くなる。
【００２８】
図３を用いて示す内部回路の構成を説明する。外部電源は交流の１００Ｖを想定しているが、これはグローバル対応の２００Ｖ以上への適用も部品を選ぶことで可能である。外部電源にはプラグ３を用いて接続する。
【００２９】
外部から供給された交流１００Ｖは、ＡＣ／ＤＣ変換器２１によって直流の５Ｖへ変換される。変換された５Ｖはさらに定電圧源２２によって３．３Ｖの直流へ変換される。この３．３Ｖの直流はＭＰＵ２５と加速度センサ２３へ供給される。
【００３０】
また、ＡＣ／ＤＣ変換器２１からの５Ｖは充電器２４へ供給される。充電器２４はＭＰＵからの指令に基づいてニッケル水素電池２７の充電状態に応じた充電用の電力をニッケル水素電池２７へ供給する。ニッケル水素電池（ＮｉＭＨ電池）２７の単体での出力電圧は１．２Ｖなので２本を直列に接続して２．４Ｖを得ている。ニッケル水素電池２７からの２．４ＶはＭＰＵ２５とＤＣ昇圧定電圧源２８へ供給される。
【００３１】
ＤＣ昇圧定電圧源２８はニッケル水素電池の２．４Ｖを変換して３．５Ｖを供給する。この３．５Ｖは外部へのブザー信号を発生するブザー鳴動部２９と外部への照明を行うＬＥＤ点灯部２６へ供給される。
【００３２】
ブザー鳴動部２９とＬＥＤ点灯部２６は共に、ＭＰＵ２５からの制御により動作する。制御用にブザー鳴動部２９ではＮＰＮトランジスタ、ＬＥＤ点灯部２６ではＭＯＳＦＥＴが使われる。
【００３３】
加速度センサ２３はＭＭＡ８６５２ＦＣを用いており、動作電圧は１．９５Ｖ〜３．６Ｖである。このＩＣは外部振動を3次元の動きを内蔵するマイクロマシンの容量変化により加速度の大きさとして１２ビットの分解能で検出する。この加速度センサへの電源は外部電源のみであるが、停電時は後述する電源異常による非常時動作になっており外部電源から外されて首に下げられた状態では感震動作は不要なためである。
【００３４】
図４に示すフロー図を用いてＭＰＵ２５による制御の内容を説明する。このフローの中で、ＭＰＵは非常事態感知部の機能を発揮する。電源として電池が接続されると回路が動き始める（Ｓ０）。外筐の左側にあるタクタイルスイッチ４を押すたびにモードが切り替わりＬＥＤのＯＮ−ＯＦＦが行われる（Ｓ１０）。
【００３５】
次に、プラグ３を外部電源へ接続するとＭＰＵが外部電源について電源供給可能な状態か否かを外部電源監視部としてチェックする（Ｓ３）。停電になって電圧が０ＶになるとＬＥＤ点灯部２６及びブザー鳴動部２９へ制御信号を送り、ＬＥＤの点灯とブザーを鳴らす（Ｓ６）。
【００３６】
また、外部電源の接続により感震部である加速度センサ２３へ電力が供給されて加速度センサが動作を開始する。外部電源から電力が供給されている状態で予め定めた加速度を超えるか否かを加速度センサ２３からのＭＰＵ２５への出力により判別する。
【００３７】
加速度センサが検出するのは加速度で単位はガル（ＧＡＬ：ｃｍ／秒・秒）で表示する。これを日常で使われる震度に換算するために概略の換算表を表1に示す。大半の人が地震を感じるのは概略１０ガル以上である。震度４になると人が外へ飛び出す揺れになり、数１０ガル程度になる。
【００３８】
【表１】
2018125186.tif 000003
【００３９】
ニッケル水素電池は使用すると放電して端子電圧が低下する。ＭＰＵ２５には、ニッケル水素電池２７の出力電圧をモニタする機能があるので電池が放電して電圧が低下すると（Ｓ５）充電を行うように充電部２４へ指令を出して充電処理が行われる（Ｓ２０）。
【００４０】
ＭＰＵとして用いているＰＩＣ１６ＬＦ１８３２３の動作電圧は１．８Ｖ〜３．６Ｖである。動作電源はニッケル水素電池から給電されるので外部電源からの電力が無くなっても機能する。外部電源の値は外部電源監視部の機能を持つＭＰＵがモニタしており、外部電源が無くなるとＭＰＵはそれを感知して警報動作としてＬＥＤを点灯させるとともにブザーを鳴動させる（Ｓ６）。
【００４１】
この警報動作は１０分のタイマー（Ｓ７）で動作を停止する（Ｓ１０）。また、警報動作はタクタイルスイッチ４を押すことでその動作を停止する。また、停電による警報動作は停電が直ると通電されて異常事態が回復するので警報動作を停止する（Ｓ９）。
【００４２】
本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４３】
１  ＬＥＤ照明の開口部
２  外筐
３  ＡＣプラグ
４  タクタイルスイッチ
５  紐係止部
６  内蔵電池
７  第１紐係止部
８  第２紐係止部
１０  非常用懐中電灯
２０  紐
２１  ＡＣ／ＤＣ変換器
２２  ３．３Ｖ定電圧源
２３  加速度センサ
２４  充電器
２５  マイクロプロセッサ（ＭＰＵ）
２６  ＬＥＤ点灯部
２７  ニッケル水素電池
２８  ＤＣ昇圧定電圧源（２．４Ｖ→３．３Ｖ）
２９  ブザー鳴動部
【図１】
2018125186.tif 000004
【図２】
2018125186.tif 000005
【図３】
2018125186.tif 000006
【図４】
2018125186.tif 000007